(57)【要約】【課題】車両解体時には電線を接続相手側に残すことなく離脱できる端子を提供する。【解決手段】導電性金属板を折曲加工して形成され、中心にボルト挿通孔を設けた固定部と、バレルを設けた離脱部とを備え、上記離脱部を折り曲げて、該折曲部分を易破断部としておき、上記バレルで電線を上記離脱部にかしめ圧着し、上記電線が引き抜かれると、上記易破断部が破断して、電線は上記バレルと圧着した状態で上記固定部と離脱できる構成としている。【選択図】図１
2006278346.tif 000002
【特許請求の範囲】
【請求項１】
導電性金属板を折曲加工して形成され、中心にボルト挿通孔を設けた固定部と、バレルを設けた離脱部とを備え、
上記離脱部を折り曲げて、該折曲部分を易破断部としておき、
上記バレルで電線をかしめ圧着し、
上記電線が引き抜かれると、上記易破断部が破断して、電線は上記バレルと圧着した状態で上記固定部と離脱できる構成としていることを特徴とする端子。
【請求項２】
上記固定部より基板部を突出させて設け、該基板部の一側部より上記離脱部を突設して、折り曲げた離脱部を上記基板部に重ねあわせ、
上記基板部に絶縁被覆バレルを設ける一方、上記離脱部のバレルを芯線バレルとして、これら絶縁被覆バレルと芯線バレルを並設している請求項１に記載の端子。
【請求項３】
上記基板部に幅方向の両側より突設する絶縁被覆バレルは、上記芯線バレルよりも狭幅あるいは／および短丈とし、上記電線解体時等に電線が引き抜かれると、上記絶縁被覆バレルが両側に開きやすい形状としている請求項２に記載の端子。
【請求項４】
上記離脱部の折り曲げられる易破断部には、スリットあるいは／および溝を設けている請求項１乃至請求項３のいずれか１項に記載の端子。
【請求項５】
上記離脱部を上記固定部より突出させて設け、折り曲げた離脱部の根元側を上記固定部に重ね合わせる一方、先端側は上記固定部より突出させて延在させ、該延在部に絶縁被覆バレルと芯線バレルを並設している請求項１に記載の端子。
【請求項６】
上記請求項１乃至請求項５のいずれか１項に記載の端子を２枚上下に重ね合わせ、各端子に接続する電線を平行配線とすると共に、各端子の易破断部を互いに離反する位置に配置している組み合わせ端子。
【発明の詳細な説明】
【技術分野】
【０００１】
本発明は、端子に関し、詳しくは、車両に配索される電線に圧着され、被固定材にボルトで固定される端子、例えば、車体に固定されるアース端子や、電源線の端末に圧着されてジャンクションボックスのバスバーにボルト固定される端子として用いられ、車両解体時に端子のボルト固定部から電線を容易に離脱させ、車体や相手側機器等に電線が残らないようにするものである。
【背景技術】
【０００２】
従来、自動車に配線する電線は、その端末に端子を接続し、該端子を車体にボルト締めで固定してアース処理を行う場合や、大電流の電線端末に接続した端子を機器等にボルト締めで固定する場合がある。
その一例として、車体へのアース処理を行う場合は、図１５（Ａ）に示すように、電線ｗの端末を端子１ａ、１ｂに圧着接続し、図示のように端子１ａ、１ｂを重ねてボルトＢにより車体パネルＰのボルト穴Ｈに締め付け固定しており、複数本の電線ｗをまとめて車体にアース接続している。
【０００３】
自動車を廃車とし、解体する場合には、分別回収する必要があるため、電線群を集束したワイヤハーネスを車体から完全に取り除くことが要望されている。
その場合、ボルトＢにより端子１ａ、１ｂが車体Ｐに固定された電線ｗは、ボルトＢを車体Ｐから取り外す必要がある。しかしながら、ワイヤハーネスの車体Ｐからの取り除き作業は、通常、クレーンの先端に取り付けたフックをワイヤハーネスに引っ掛けて、引き抜くことにより行われており、ボルトＢを１本づつ取り除く作業は非常に繁雑で手数がかかるために、車体解体作業時には為されない。
【０００４】
よって、端子１ａ、１ｂがボルトＢにより強固に車体Ｐに固定されている電線ｗは、図１５（Ｂ）に示すように、端子１ａ、１ｂが車体Ｐに固定されたままの状態で電線ｗが途中で切断したり、端子１ａ、１ｂとの接続端（所謂、首下位置）で電線ｗが切断してしまい、車体Ｐに切断された電線ｗが残留しやすい。
【０００５】
上記問題に鑑みて、従来、図１６（Ａ）に示す端子２が提案されている。該端子２は取付部２ｂにミシン目状のスリット２ａを設けており、端子２がボルト締めされた状態のままスリット２ａで破断することにより容易に解体可能としている。
【０００６】
しかしながら、端子２を作業性、設置スペース等を考慮して、図１６（Ｂ）に示すように重ねて同時にボルトＢにより締結する場合には、下層の端子２Ｂは上層の端子２Ａに覆い被せられているため、端子２Ｂに圧着された電線ｗ２を引っ張った際に、端子２Ｂのスリットに応力が伝わらず、電線ｗ２で破断しやすい問題が生じる。
また、ボルト穴の全周にスリットを設けると、固定部の強度が弱くなり、電線が引っ張られた際に容易に破断させることはできるが、車両の振動等の小さな負荷でも破断する恐れがあり、逆に取付安定性を損なう問題がある。
【発明の開示】
【発明が解決しようとする課題】
【０００７】
本発明は上記した問題に鑑みてなされたもので、車両の振動等にも安定して固定される一方で、車両のリサイクル時等には電線を車体や機器等に残すことなく離脱できると共に、端子を重ねて用いた場合にも易解体性を損なわないことを課題としている。
【課題を解決するための手段】
【０００８】
上記課題を解決するため、本発明は、第１に、導電性金属板を折曲加工して形成され、電線接続部の基板部の一端より軸線方向に、中心にボルト挿通孔を設けた固定部が突出した端子において、
上記基板部の他端側に絶縁被覆バレルを設けていると共に、該基板部の先端側の一側部より離脱用芯線バレル形成部を突設し、該離脱用芯線形成バレル部の根元部分を１８０度折り曲げて上記基板部に重ねあわせ、上記絶縁被覆バレルと並設される芯線バレルを設けると共に、上記１８０度折曲部分を易破壊部としておき、
上記絶縁被覆バレルで電線の絶縁被覆をかしめ圧着すると共に上記芯線バレルで電線端末から露出した芯線をかしめ圧着し、
上記電線が引き抜かれると、上記易破壊部が破壊して、電線は芯線バレルと圧着した状態で上記固定部と離脱できる構成としていることを特徴とする端子を提供している。
【０００９】
上記構成とすると、上記離脱用芯線バレル形成部が、その根元部分で１８０度折り曲げされることで加工硬化が生じ、該折曲部に曲げ戻す負荷が作用すると割れて破断しやすくなり、易破断部とすることができる。
つまり、車体解体時等に電線を引っ張ることで、該電線にかしめ圧着された芯線バレルが上方に引っ張られ、折曲部に曲げ戻す負荷が作用するため、容易に破断する。したがって、電線は易破断部で固定部から離脱された芯線バレルに圧着された状態のままで接続相手側より離脱させることができる。その結果、ボルトを取り外す必要がないと共に電線が破断して電線の一部が接続相手側に残ることを防止できる。
【００１０】
また、上記離脱用芯線バレル形成部は上記基板部より突出し、折り返した状態で上記基板部の上面に重ねて配置さえる構成としているため、複数の上記端子を上記固定部で重ねて１ヶ所でアース処理した場合にも、下層の端子の上記離脱部が上層の端子の上記固定部に隠されることがなく、易解体性を損なうことがない。
【００１１】
上記基板部の他端側に幅方向の両側より突設する絶縁被覆バレルは、上記芯線バレルよりも狭幅あるいは／および短丈とし、上記車両解体時等に電線が引き抜かれると、上記絶縁被覆バレルが両側に開きやすい形状としている。
【００１２】
上記構成とすると、車両解体時に電線が引っ張られると、該電線にかしめ圧着された絶縁被覆バレルも電線から容易に離脱させることができる。
かつ、絶縁被覆バレルと芯線バレルにより電線は端子にかしめ圧着されているため、車両解体時に強い力で電線が引張された時のみ端子から離脱するが、車両振動等では電線を安定して保持し続けることができる。
【００１３】
上記離脱用芯線バレル形成部の１８０度折り曲げられる易破壊部には、スリットあるいは／および溝を設けてもよい。
即ち、上記易破壊部にスリットあるいは／および溝を設けることで、車体解体時に電線が引っ張られた際に、易破壊部のさらに破断し易くなる。
【００１４】
また、上記離脱用芯線バレル形成部が突出する側と対向する基板部の側面より押さえ片を突出し、該押さえ片を屈曲させることで、上記折り返された離脱用芯線バレル係止部を上方より押さえ保持する構成とすることが好ましい。
このように、上記押さえ片により上記離脱部を押さえ保持することで、車両解体時等以外の通常使用時において、基板上に重ねた芯線バレルの振動発生を押さえて、基板部に安定保持することができる。
【００１５】
本発明は、第２に、易破断部となる１８０度折曲部を介して折り曲げられる離脱部をボルト固定部の先端より形成した端子を提供している。
具体的には、導電性金属板を折曲加工して形成され、中心にボルト挿通孔を設けた固定部の一側部先端より１８０度折り曲げた離脱部を設け、該離脱部を上記固定部の基端側より延在させ、該延在部に電線接続用の基板部として芯線バレルと絶縁被覆バレルを設けて電線と圧着させ、
上記１８０度折曲部を易破断部とし、該易破断部は上記電線が引き抜かれると破断して、上記電線が上記芯線バレルおよび絶縁被覆バレルと圧着された状態で上記固定部から離脱できる構成としていることを特徴とする端子を提供している。
【００１６】
上記端子は、芯線バレルおよび絶縁被覆バレルを設けて電線とかしめ圧着される電線接続用の基板部を離脱部に形成しているため、自動車解体時に電線が引っ張られると、その引張力を電線と接続された基板部に直接負荷して１８０度曲げの易破断部をボルト固定部と破断することができる。
【００１７】
上記第１の端子および第２の端子はいずれも、２枚上下に重ね合わせ、各端子に接続する電線を平行配線とすると共に、各端子の易破断部を互いに離反する位置に配置している組み合わせ端子としても良い。
これら端子はボルト固定部を上下に重ねあわせる際、ボルト挿通孔の周縁で凹凸嵌合されて位置決め保持した状態でボルトが挿通されて車体に固定される。
【００１８】
上記のように２枚重ねてすると、これら２枚の端子に接続した電線が同時に引っ張れるた場合、また、別個に引っ張れらたいずれも場合も、各端子の易破断部は重ねられていないため、夫れ夫れに引っ張り力を直接的に作用でき、各端子をボルト固定部から確実に離脱させることができる。
【発明の効果】
【００１９】
以上の説明より明らかなように、本発明によると、芯線バレルあるいは、芯線バレルと絶縁被覆バレルの両方を１８０度折りした易破断部を介して設けているため、車体解体時に電線を引っ張って芯線バレルあるいは芯線バレルと絶縁被覆バレルの両方が引っ張られることにより、上記易破断部で破断し易くなる。よって、車体解体時に、電線を接続相手側に残すことなく芯線バレルと共に離脱することができ、電線が破断して電線の一部が接続相手側に残るのを防ぐことができる。
また、上記易破断部にスリットあるいは／および溝を設けることで、車体解体時に電線が引っ張られて上記芯線バレルが上方に引っ張れた際に上記折曲部がより破断し易くなる。
【００２０】
さらに、上記基板部の絶縁被覆バレルも、狭幅あるいは／および短丈とすることで、車体解体時に電線が引っ張られると開き易い形状としているため、該絶縁被覆バレルから電線が容易に離脱し、易判断部で破断された芯線バレルにのみ電線が圧着された状態で離脱させることができる。
かつ、通常の圧着端子と同様に、絶縁被覆バレルおよび芯線バレルにより電線をかしめ圧着して接続しているため、車両振動等では電線を安定して保持し続けることができ、電線との接続性能も信頼性の高いものとすることができる。
【００２１】
また、２枚の端子の固定部を上下に重ねて組み合わせ端子とした場合には、１８０度曲げした易破断部を離反する方向に配置しているため、下層の端子のみに電線の引張力が作用しても、上層の端子に阻害されることなく固定部と離脱させ、電線を車体から完全に取り外すことができる。
【発明を実施するための最良の形態】
【００２２】
以下、本発明の実施形態を図面を参照して説明する。
第１実施形態の端子１０は、図１の展開図に示すように一枚板の導電性金属板を打抜加工したものであり、中央にボルト挿通孔１１ａを有する固定部１１と、該固定部１１の一側より延在した基板部１３と、該基板部１３と固定部１１の近傍の一側より突出した離脱用バレル形成部１２とを備えている。
【００２３】
離脱用バレル形成部１２は、易破断部１４となる１８０度折曲部を介して基板部１３と連続している。上記易破断部１４より突出させた基板重ね合わせ部分１２ｃより両側方に突出させた部分を設け、この両側突出部を対向する芯線バレル１２ａ、１２ｂとしている。
上記離脱用バレル形成部１２と対向する基板部１３の側端から押さえ片１３ｃを突出している。該押さえ片１３ｃは離脱用バレル形成部１２を易破断部１４で１８０度曲げして上記基板重ね合わせ部分１２ｃを基板部１３の上面に重ね合わせた状態で、基板重ね合わせ部分１２ｃを上面から押さえるものである。
【００２４】
上記基板部１３の他端側には幅方向の両側より絶縁被覆バレル１３ａ、１３ｂを突出させている。
絶縁被覆バレル１３ａと１３ｂとは軸線方向にずらせると共に、これら絶縁被覆バレル１３ａ、１３ｂの幅Ｌ２は、芯線バレル１２ａ、１２ｂの幅Ｌ１よりも狭くしている。
【００２５】
次に、上記端子１０の組付手順を説明する。
図２に示すように、端子１０を易破断部１４で１８０°二つ折りにして離脱用芯線バレル形成部１２の基板重ね合わせ部１２ｃを基板部１３の上面に重ねる。この状態で、図４（Ａ）に示すように、押さえ片１３ｃを屈曲させて基板重ね合わせ部１２ｃを上方より押さえ付けて保持する。また、図４（Ｂ）（Ｃ）に示すように、芯線バレル１２ａ、１２ｂ及び絶縁被覆バレル１３ａ、１３ｂを上向きに屈曲させる。この状態で、基板部１３の幅方向両側より絶縁被覆バレル１３ａと１３ｂとが軸線方向にずれた状態で突出すると共に、その軸線方向の前部（固定部の方向）に対向した芯線バレル１２ａと１２ｂとが突出して、軸線方向に絶縁被覆バレルと芯線バレルとが並設された状態となる。
【００２６】
上記のように基板部１３の上面に離脱用芯線バレル部１２（図５中にクロス斜線で示す箇所）の基板重ね合わせ部１２ｃが載置され、その両側より芯線バレル１２ａ、１２ｂが突出した状態でワイヤハーネスを構成する１本の電線Ｗ１を上方より基板部１３および基板重ね合わせ部１２ｃの上面に載置し、図５及び図６（Ａ）に示すように、芯線バレル１２ａ、１２ｂを折り曲げて電線Ｗ１の端末より露出させた芯線Ｗ１ａにかしめ圧着すると共に、絶縁被覆バレル１３ａ、１３ｂを折り曲げて被覆部Ｗ１ｂをかしめ圧着している。
上記のように端子１０に圧着された電線Ｗ１は、車体組みつけ時において、固定部１１のボルト挿通孔１１ａと車体パネルＰのボルト穴ＨとにワッシャＲを介してボルトを挿通し、ボルト留めで車体パネルＰに固定している。
【００２７】
上記端子１０が車体パネルＰに固定された状態においては、電線Ｗ１は芯線バレル１２ａ、１２ｂによって強固にかしめ圧着されていると共に、該芯線バレル１２ａ、１２ｂよりも狭幅な絶縁被覆バレル１３ａ、１３ｂでかしめ圧着されている。この絶縁被覆バレル１３ａ、１３ｂは幅が芯線バレルより狭いと共に軸線方向にずらせているため、芯線バレル１２ａ  １２ｂよりは開きやすくなっている。したがって、絶縁被覆バレル１３ａ、１３ｂは、電線Ｗ１に大きな負荷による大変位が生じた場合には容易に開くが、車体の振動等の小さな負荷による小変位が生じた場合には、電線Ｗ１を保持し続けることができる。
上記押さえ片１３ｃも同様で、折り曲げられた離脱用芯線バレル形成部１２の基板重ね合わせ部１２ｃを弱く保持しているので、離脱用芯線バレル形成部１２に大きな負荷による大変位が生じた場合には開き易くなっている一方、車体の振動等の小さな負荷による小変位が生じた場合には、基板重ね合わせ部１２を保持し続けることができる。
【００２８】
次に、車両解体時における電線Ｗ１の取り外し作業を説明する。
車両解体時には、電線Ｗ１が他の電線群と共に結束されたワイヤハーネスがクレーン（図示せず）で引き上げられる。
クレーンによる大きな引張力で電線Ｗ１を上方へ引き上げると、図６（Ｂ）に示すように、芯線バレル１２ａ、１２ｂが電線Ｗ１の芯線Ｗ１ａにかしめ圧着されたままの状態で電線Ｗ１が引き上げられ、電線Ｗ１を保持していた絶縁被覆バレル１３ａ、１３ｂと基板重ね合わせ部１２ｃを保持していた押さえ片１３ｃが開き、該引張力で易破断部１４が破断して、離脱用芯線バレル形成部１２と共に電線Ｗ１が離脱される。
即ち、端子１０の固定部１１及び基板部１３は車体に残したままに、離脱用芯線バレル部１２ごと電線Ｗ１を車体から離脱することができる。
【００２９】
この際、易破断部１４は１８０°折りされているため加工硬化し、離脱用芯線バレル形成部１２を曲げ戻すことで易破断部１４は割れ易くなっているので、離脱用芯線バレル形成部１２を容易に離脱することができる。
また、易破断部１４の方向が電線Ｗ１の軸線方向に対して若干斜めにとなっていることで、電線Ｗ１への上記引張力が易破断部１４に伝達し易くなっている。なお、易破断部１４は電線Ｗ１の軸線方向と平行としてもよい。
【００３０】
図７は第２実施形態を示す。
第１実施形態との相違点は、易破断部１４’にミシン目状のスリット１４ａ’を設けていると共に、絶縁被覆バレル１３ａ’、１３ｂ’の長さＬ３を短くしている点である。
【００３１】
このように、易破断部１４’にミシン目状のスリット１４ａ’を設けることで、易破断部１４’がより破断し易くなり、電線の離脱作業をさらに容易にすることができる。
なお、易破断部１４’にはスリット１４ａ’を設ける代わりに、薄肉部を形成する溝を切り欠いても容易に破断する効果が得られ好適である。
【００３２】
また、絶縁被覆バレル１３ａ’、１３ｂ’の長さＬ３を短くして、絶縁被覆バレル１３ａ’、１３ｂ’による電線の保持力を弱めているので、電線が引き上げられた際に、絶縁被覆バレル１３ａ’、１３ｂ’を容易に開くことができる。
【００３３】
次に、図８および図９に第３実施形態を示す。
第２実施形態は２枚の端子１０を重ねて１ヶ所でアース接続する組み合わせ端子の場合である。
端子１０Ａ、１０Ｂに上述のように電線Ｗ１、Ｗ２を夫々圧着し、電線Ｗ１、Ｗ２を平行配線した状態で、夫々の固定部１１を重ねてボルト留め固定する。
【００３４】
上記端子１０Ａ、１０Ｂの固定部１１にはボルト挿通孔１１ａを連通させて重ねた状態で、ボルト挿通孔１１ａの周縁に凹凸嵌合部１１ｂ、１１ｃが設けられており、所定位置に位置決め保持される。この重ねられた状態で、易破断部１４は互いに離反する方向に位置し、下層の端子１０Ｂの離脱用芯線バレル形成部１２および易破断部１４はは上層の端子１０Ａに重ねられないようになる。
【００３５】
よって、クレーンによる引張力で電線Ｗ１、電線Ｗ２が同時に引張力が負荷された時、夫れ夫れの易破断部１４がスムーズに破断されて、電線Ｗ１、Ｗ２とがともに車体にボルトで固定された固定部１１から離脱する。
また、上層の端子１０Ａ側の電線Ｗ１が引っ張れず、下層の端子１０Ｂの電線Ｗ２のみが引っ張れた場合においても、上層の端子１０Ａにより阻害されることなく、下層の端子１０Ｂの易破断部１４が破断する。
【００３６】
図１０は第３実施形態の変形例を示し、上下の端子１０Ａ、１０Ｂに接続した電線Ｗ１、Ｗ２を直角方向としている。
なお、同一部分は同一符号を付して説明を省略する。
【００３７】
この場合も図９と同様に、車体解体時に電線Ｗ１，Ｗ２が引っ張れると、端子１０Ａ、１０Ｂを同時に、あるいは一方側の端子を他方側の端子に阻害されることなく易破断部１４で破断することができる。
【００３８】
図１１および図１２は第４実施形態を示す。
第４実施形態の端子２０は、第１実施形態の端子と同様に、導電性金属板を折曲加工して形成している。
中心にボルト挿通孔２１ａを設けた固定部２１の一側部先端２１ｂより１８０度折り曲げた易破断部２３を介して離脱部２４を設け、該離脱部２４を固定部２１の一側部に重ねた状態で固定部２１の基端側に延在させている。
この延在部に電線接続用の基板部２５として、その幅方向の両側より芯線バレル２６と端部側に絶縁被覆バレル２７を設けている。即ち、電線接続用の基板部２５に対して固定部２１を片持ち状に突出した外形としている。
【００３９】
即ち、第４実施形態の端子２０では、電線接続用の基板部２５を離脱部２４に設け、電線Ｗにかしめ圧着する絶縁被覆バレル２７も芯線バレル２６と共に電線Ｗと共に離脱させる点が第１実施形態と相違する。
このように、電線Ｗに負荷される引っ張り力を芯線バレル２６だけでなく、絶縁被覆バレル２７を介して基板部２５、離脱部２４に直接的に負荷でき、１８０度曲げされた易破断部２３に大きな力を作用でき、確実に固定部２１と離脱させることができる。
【００４０】
図１３及び図１４は第５実施形態を示す。
第５実施形態は第４実施形態と同様な端子２０Ａと２０Ｂを上下に２枚組み合わせたものである。
各端子２０Ａ、２０Ｂの基板部２５Ａ、２５Ｂより一方側に突出する固定部２１Ａ、２１Ｂを上下に重ねあわせ、端子２０Ａ、２０Ｂの基板部２５の芯線バレル２６、絶縁被覆バレル２７にかしめ圧着している電線Ｗ１とＷ２とを平行配線している。
端子２０Ａと２０Ｂの固定部２１Ａ、２１Ｂにはボルト挿通孔２１ａの周縁の凹凸部２１ｂ、２１ｃを設け、これらを嵌合することにより連通されるボルト挿通孔２１ａを挟んで両側に端子２０Ａの離脱部２４Ａと端子２０Ｂの離脱部２４Ｂを位置させている。
【００４１】
上記のように端子２０Ａ、２０Ｂとを組み合わせ、固定部２１Ａ、２１Ｂを上下に重ねてボルトで車体に固定した場合においても、前記第２実施形態と同様に、クレーンによる引張力で電線Ｗ１、電線Ｗ２が同時に引張力が負荷された時、夫れ夫れの易破断部２３Ａ、２３Ｂがスムーズに破断されて、電線Ｗ１、Ｗ２とがともに車体にボルトで固定された固定部２１Ａ、２１Ｂから離脱する。
また、上層の端子２０Ａ側の電線Ｗ１が引っ張れず、下層の端子２０Ｂの電線Ｗ２のみが引っ張れた場合においても、上層の端子２０Ａにより阻害されることなく、下層の端子２１Ｂの易破断部２３Ｂが破断する。
【００４２】
なお、上記実施形態では、端子１０、２０を車体パネルＰへのアース接続されるアース端子としているが、ボルト締めで機器等に接続する端子であればいずれにも適用できる。例えば、電源線の端末に接続し、ジャンクションボックス等の電気接続箱内のバスバーにボルト締めする端子等にも好適に用いることができる。
【図面の簡単な説明】
【００４３】
【図１】本発明の第１実施形態に係る端子の展開図である。
【図２】端子の離脱用芯線バレル形成部を折り返した状態の上面図である。
【図３】端子の離脱用芯線バレル形成部を折り返した状態の側面図である。
【図４】（Ａ）は図２のＡ−Ａ線断面図、（Ｂ）は図３のＢ−Ｂ線断面図、（Ｃ）はＣ−Ｃ線断面図である。
【図５】端子の電線圧着後の上面図である。
【図６】（Ａ）は端子の車体固定後の側面図、（Ｂ）は電線の離脱を示す側面図である。
【図７】第２実施形態の端子の展開図である。
【図８】第３実施形態の端子の組み合わせ前の斜視図である。
【図９】端子組み合わせ後の斜視図である。
【図１０】第３実施形態の変形例を示す平面図である。
【図１１】第４実施形態の端子の斜視図である。
【図１２】第４実施形態の端子の折り曲げ方法を説明する概略図である。
【図１３】第５実施形態の端子の組み合わせ前の斜視図である。
【図１４】端子組み合わせ後の斜視図である。
【図１５】（Ａ）は従来の端子の車体固定前の斜視図、（Ｂ）は問題点を示す斜視図である。
【図１６】（Ａ）は別の従来の端子の上面図、（Ｂ）は問題点を示す斜視図である。
【符号の説明】
【００４４】
１０、２０            端子
１１、２１            固定部
１１ａ，２１ａ        ボルト挿通孔
１２                  離脱用芯線バレル形成部
１２ａ、１２ｂ、２６  芯線バレル
１２ｃ                基板重ね合わせ部
１３，２５            基板部
１３ａ、１３ｂ、２７  絶縁被覆バレル
１３ｃ                押さえ片
１４、１４’、２３    易破断部
１４ａ’              スリット
２４                  離脱部
Ｂ                    ボルト
Ｈ                    ボルト穴
Ｐ                    車体パネル
Ｗ１、Ｗ２            電線
Ｗ１ａ                芯線
Ｗ１ｂ                被覆部
【図１】
2006278346.tif 000003
【図２】
2006278346.tif 000004
【図３】
2006278346.tif 000005
【図４】
2006278346.tif 000006
【図５】
2006278346.tif 000007
【図６】
2006278346.tif 000008
【図７】
2006278346.tif 000009
【図８】
2006278346.tif 000010
【図９】
2006278346.tif 000011
【図１０】
2006278346.tif 000012
【図１１】
2006278346.tif 000013
【図１２】
2006278346.tif 000014
【図１３】
2006278346.tif 000015
【図１４】
2006278346.tif 000016
【図１５】
2006278346.tif 000017
【図１６】
2006278346.tif 000018
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
導電性金属板を折曲加工して形成され、中心にボルト挿通孔を設けた固定部と、バレルを設けた離脱部とを備え、
上記離脱部を折り曲げて、該折曲部分を易破断部としておき、
上記バレルで電線をかしめ圧着し、
上記電線が引き抜かれると、上記易破断部が破断して、電線は上記バレルと圧着した状態で上記固定部と離脱できる構成としていることを特徴とする端子。
【請求項２】
上記固定部より基板部を突出させて設け、該基板部の一側部より上記離脱部を突設して、折り曲げた離脱部を上記基板部に重ねあわせ、
上記基板部に絶縁被覆バレルを設ける一方、上記離脱部のバレルを芯線バレルとして、これら絶縁被覆バレルと芯線バレルを並設している請求項１に記載の端子。
【請求項３】
上記基板部に幅方向の両側より突設する絶縁被覆バレルは、上記芯線バレルよりも狭幅あるいは／および短丈とし、上記電線解体時等に電線が引き抜かれると、上記絶縁被覆バレルが両側に開きやすい形状としている請求項２に記載の端子。
【請求項４】
上記離脱部の折り曲げられる易破断部には、スリットあるいは／および溝を設けている請求項１乃至請求項３のいずれか１項に記載の端子。
【請求項５】
上記離脱部を上記固定部より突出させて設け、折り曲げた離脱部の根元側を上記固定部に重ね合わせる一方、先端側は上記固定部より突出させて延在させ、該延在部に絶縁被覆バレルと芯線バレルを並設している請求項１に記載の端子。
【請求項６】
上記請求項１乃至請求項５のいずれか１項に記載の端子を２枚上下に重ね合わせ、各端子に接続する電線を平行配線とすると共に、各端子の易破断部を互いに離反する位置に配置している組み合わせ端子。
【手続補正２】
【補正対象書類名】明細書
【補正対象項目名】全文
【補正方法】変更
【補正の内容】
【発明の詳細な説明】
【技術分野】
【０００１】
本発明は、端子に関し、詳しくは、車両に配索される電線に圧着され、被固定材にボルトで固定される端子、例えば、車体に固定されるアース端子や、電源線の端末に圧着されてジャンクションボックスのバスバーにボルト固定される端子として用いられ、車両解体時に端子のボルト固定部から電線を容易に離脱させ、車体や相手側機器等に電線が残らないようにするものである。
【背景技術】
【０００２】
従来、自動車に配線する電線は、その端末に端子を接続し、該端子を車体にボルト締めで固定してアース処理を行う場合や、大電流の電線端末に接続した端子を機器等にボルト締めで固定する場合がある。
その一例として、車体へのアース処理を行う場合は、図１４（Ａ）に示すように、電線ｗの端末を端子１ａ、１ｂに圧着接続し、図示のように端子１ａ、１ｂを重ねてボルトＢにより車体パネルＰのボルト穴Ｈに締め付け固定しており、複数本の電線ｗをまとめて車体にアース接続している。
【０００３】
自動車を廃車とし、解体する場合には、分別回収する必要があるため、電線群を集束したワイヤハーネスを車体から完全に取り除くことが要望されている。
その場合、ボルトＢにより端子１ａ、１ｂが車体Ｐに固定された電線ｗは、ボルトＢを車体Ｐから取り外す必要がある。しかしながら、ワイヤハーネスの車体Ｐからの取り除き作業は、通常、クレーンの先端に取り付けたフックをワイヤハーネスに引っ掛けて、引き抜くことにより行われており、ボルトＢを１本づつ取り除く作業は非常に繁雑で手数がかかるために、車体解体作業時には為されない。
【０００４】
よって、端子１ａ、１ｂがボルトＢにより強固に車体Ｐに固定されている電線ｗは、図１４（Ｂ）に示すように、端子１ａ、１ｂが車体Ｐに固定されたままの状態で電線ｗが途中で切断したり、端子１ａ、１ｂとの接続端（所謂、首下位置）で電線ｗが切断してしまい、車体Ｐに切断された電線ｗが残留しやすい。
【０００５】
上記問題に鑑みて、従来、図１５（Ａ）に示す端子２が提案されている。該端子２は取付部２ｂにミシン目状のスリット２ａを設けており、端子２がボルト締めされた状態のままスリット２ａで破断することにより容易に解体可能としている。
【０００６】
しかしながら、端子２を作業性、設置スペース等を考慮して、図１５（Ｂ）に示すように重ねて同時にボルトＢにより締結する場合には、下層の端子２Ｂは上層の端子２Ａに覆い被せられているため、端子２Ｂに圧着された電線ｗ２を引っ張った際に、端子２Ｂのスリットに応力が伝わらず、電線ｗ２で破断しやすい問題が生じる。
また、ボルト穴の全周にスリットを設けると、固定部の強度が弱くなり、電線が引っ張られた際に容易に破断させることはできるが、車両の振動等の小さな負荷でも破断する恐れがあり、逆に取付安定性を損なう問題がある。
【発明の開示】
【発明が解決しようとする課題】
【０００７】
本発明は上記した問題に鑑みてなされたもので、車両の振動等にも安定して固定される一方で、車両のリサイクル時等には電線を車体や機器等に残すことなく離脱できると共に、端子を重ねて用いた場合にも易解体性を損なわないことを課題としている。
【課題を解決するための手段】
【０００８】
上記課題を解決するため、本発明は、導電性金属板を折曲加工して形成され、中心にボルト挿通孔を設けた固定部と、バレルを設けた離脱部とを備え、
上記離脱部を折り曲げて、該折曲部分を易破断部としておき、
上記バレルで電線をかしめ圧着し、
上記電線が引き抜かれると、上記易破断部が破断して、電線は上記バレルと圧着した状態で上記固定部と離脱できる構成としていることを特徴とする端子を提供している。
【０００９】
上記構成とすると、上記離脱部が、その根元部分で折り曲げされることで加工硬化が生じ、該折曲部に曲げ戻す負荷が作用すると割れて破断しやすくなり、易破断部とすることができる。
つまり、車体解体時等に電線を引っ張ることで、該電線にかしめ圧着されたバレルが上方に引っ張られ、折曲部に曲げ戻す負荷が作用するため、容易に破断する。したがって、電線は易破断部で固定部から離脱されたバレルに圧着された状態のままで接続相手側より離脱させることができる。その結果、ボルトを取り外す必要がないと共に電線が破断して電線の一部が接続相手側に残ることを防止できる。
【００１０】
上記固定部より基板部を突出させて設け、該基板部の一側部より上記離脱部を突設して、折り曲げた離脱部を上記基板部に重ねあわせ、
上記基板部に絶縁被覆バレルを設ける一方、上記離脱部のバレルを芯線バレルとして、これら絶縁被覆バレルと芯線バレルを並設していることが好ましい。
【００１１】
上記構成によれば、上記離脱部は上記基板部より突出し、折り返した状態で上記基板部の上面に重ねて配置さえる構成としているため、複数の上記端子を上記固定部で重ねて１ヶ所でアース処理した場合にも、下層の端子の上記離脱部が上層の端子の上記固定部に隠されることがなく、易解体性を損なうことがない。
【００１２】
上記基板部に幅方向の両側より突設する絶縁被覆バレルは、上記芯線バレルよりも狭幅あるいは／および短丈とし、上記電線解体時等に電線が引き抜かれると、上記絶縁被覆バレルが両側に開きやすい形状としている。
【００１３】
上記構成とすると、車両解体時に電線が引っ張られると、該電線にかしめ圧着された絶縁被覆バレルも電線から容易に離脱させることができる。
かつ、絶縁被覆バレルと芯線バレルにより電線は端子にかしめ圧着されているため、車両解体時に強い力で電線が引張された時のみ端子から離脱するが、車両振動等では電線を安定して保持し続けることができる。
【００１４】
上記離脱部の折り曲げられる易破断部には、スリットあるいは／および溝を設けてもよい。
即ち、上記易破壊部にスリットあるいは／および溝を設けることで、車体解体時に電線が引っ張られた際に、易破壊部のさらに破断し易くなる。
【００１５】
上記離脱部が突出する側と対向する基板部の側面より押さえ片を突出し、該押さえ片を屈曲させることで、上記折り返された離脱部を上方より押さえ保持する構成とすることが好ましい。
このように、上記押さえ片により上記離脱部を押さえ保持することで、車両解体時等以外の通常使用時において、基板上に重ねた芯線バレルの振動発生を押さえて、基板部に安定保持することができる。
【００１６】
また、上記離脱部を上記固定部より突出させて設け、折り曲げた離脱部の根元側を上記固定部に重ね合わせる一方、先端側は上記固定部より突出させて延在させ、該延在部に絶縁被覆バレルと芯線バレルを並設してもよい。
上記端子は、芯線バレルおよび絶縁被覆バレルを離脱部に形成しているため、自動車解体時に電線が引っ張られると、その引張力を電線と接続された離脱部に直接負荷して曲げの易破断部をボルト固定部と破断することができる。
【００１７】
上記端子を２枚上下に重ね合わせ、各端子に接続する電線を平行配線とすると共に、各端子の易破断部を互いに離反する位置に配置している組み合わせ端子としても良い。
これら端子はボルト固定部を上下に重ねあわせる際、ボルト挿通孔の周縁で凹凸嵌合されて位置決め保持した状態でボルトが挿通されて車体に固定される。
【００１８】
上記のように２枚重ねてすると、これら２枚の端子に接続した電線が同時に引っ張れるた場合、また、別個に引っ張られたいずれの場合も、各端子の易破断部は重ねられていないため、夫れ夫れに引っ張り力を直接的に作用でき、各端子をボルト固定部から確実に離脱させることができる。
【発明の効果】
【００１９】
以上の説明より明らかなように、本発明によると、電線にかしめ圧着するバレルを折りした易破断部を介して設けているため、車体解体時に電線を引っ張ってバレルが引っ張られることにより、上記易破断部で破断し易くなる。よって、車体解体時に、電線を接続相手側に残すことなくバレルと共に離脱することができ、電線が破断して電線の一部が接続相手側に残るのを防ぐことができる。
また、上記易破断部にスリットあるいは／および溝を設けると、車体解体時に電線が引っ張られて上記バレルが上方に引っ張れた際に上記折曲部がより破断し易くなる。
【００２０】
さらに、上記基板部の絶縁被覆バレルも、狭幅あるいは／および短丈とすることで、車体解体時に電線が引っ張られると開き易い形状としているため、該絶縁被覆バレルから電線が容易に離脱し、易判断部で破断された芯線バレルにのみ電線が圧着された状態で離脱させることができる。
かつ、通常の圧着端子と同様に、絶縁被覆バレルおよび芯線バレルにより電線をかしめ圧着して接続しているため、車両振動等では電線を安定して保持し続けることができ、電線との接続性能も信頼性の高いものとすることができる。
【００２１】
また、２枚の端子の固定部を上下に重ねて組み合わせ端子とした場合には、易破断部を離反する方向に配置しているため、下層の端子のみに電線の引張力が作用しても、上層の端子に阻害されることなく固定部と離脱させ、電線を車体から完全に取り外すことができる。
【発明を実施するための最良の形態】
【００２２】
以下、本発明の実施形態を図面を参照して説明する。
第１実施形態の端子１０は、図１の展開図に示すように一枚板の導電性金属板を打抜加工したものであり、中央にボルト挿通孔１１ａを有する固定部１１と、該固定部１１の一側より延在した基板部１３と、該基板部１３と固定部１１の近傍の一側より突出した離脱用バレル形成部１２（離脱部）とを備えている。
【００２３】
離脱用バレル形成部１２は、易破断部１４となる１８０度折曲部を介して基板部１３と連続している。上記易破断部１４より突出させた基板重ね合わせ部分１２ｃより両側方に突出させた部分を設け、この両側突出部を対向する芯線バレル１２ａ、１２ｂとしている。
上記離脱用バレル形成部１２と対向する基板部１３の側端から押さえ片１３ｃを突出している。該押さえ片１３ｃは離脱用バレル形成部１２を易破断部１４で１８０度曲げして上記基板重ね合わせ部分１２ｃを基板部１３の上面に重ね合わせた状態で、基板重ね合わせ部分１２ｃを上面から押さえるものである。
【００２４】
上記基板部１３の他端側には幅方向の両側より絶縁被覆バレル１３ａ、１３ｂを突出させている。
絶縁被覆バレル１３ａと１３ｂとは軸線方向にずらせると共に、これら絶縁被覆バレル１３ａ、１３ｂの幅Ｌ２は、芯線バレル１２ａ、１２ｂの幅Ｌ１よりも狭くしている。
【００２５】
次に、上記端子１０の組付手順を説明する。
図２に示すように、端子１０を易破断部１４で１８０°二つ折りにして離脱用芯線バレル形成部１２の基板重ね合わせ部１２ｃを基板部１３の上面に重ねる。この状態で、図４（Ａ）に示すように、押さえ片１３ｃを屈曲させて基板重ね合わせ部１２ｃを上方より押さえ付けて保持する。また、図４（Ｂ）（Ｃ）に示すように、芯線バレル１２ａ、１２ｂ及び絶縁被覆バレル１３ａ、１３ｂを上向きに屈曲させる。この状態で、基板部１３の幅方向両側より絶縁被覆バレル１３ａと１３ｂとが軸線方向にずれた状態で突出すると共に、その軸線方向の前部（固定部の方向）に対向した芯線バレル１２ａと１２ｂとが突出して、軸線方向に絶縁被覆バレルと芯線バレルとが並設された状態となる。
【００２６】
上記のように基板部１３の上面に離脱用芯線バレル部１２（図５中にクロス斜線で示す箇所）の基板重ね合わせ部１２ｃが載置され、その両側より芯線バレル１２ａ、１２ｂが突出した状態でワイヤハーネスを構成する１本の電線Ｗ１を上方より基板部１３および基板重ね合わせ部１２ｃの上面に載置し、図５及び図６（Ａ）に示すように、芯線バレル１２ａ、１２ｂを折り曲げて電線Ｗ１の端末より露出させた芯線Ｗ１ａにかしめ圧着すると共に、絶縁被覆バレル１３ａ、１３ｂを折り曲げて被覆部Ｗ１ｂをかしめ圧着している。
上記のように端子１０に圧着された電線Ｗ１は、車体組みつけ時において、固定部１１のボルト挿通孔１１ａと車体パネルＰのボルト穴ＨとにワッシャＲを介してボルトを挿通し、ボルト留めで車体パネルＰに固定している。
【００２７】
上記端子１０が車体パネルＰに固定された状態においては、電線Ｗ１は芯線バレル１２ａ、１２ｂによって強固にかしめ圧着されていると共に、該芯線バレル１２ａ、１２ｂよりも狭幅な絶縁被覆バレル１３ａ、１３ｂでかしめ圧着されている。この絶縁被覆バレル１３ａ、１３ｂは幅が芯線バレルより狭いと共に軸線方向にずらせているため、芯線バレル１２ａ  １２ｂよりは開きやすくなっている。したがって、絶縁被覆バレル１３ａ、１３ｂは、電線Ｗ１に大きな負荷による大変位が生じた場合には容易に開くが、車体の振動等の小さな負荷による小変位が生じた場合には、電線Ｗ１を保持し続けることができる。
上記押さえ片１３ｃも同様で、折り曲げられた離脱用芯線バレル形成部１２の基板重ね合わせ部１２ｃを弱く保持しているので、離脱用芯線バレル形成部１２に大きな負荷による大変位が生じた場合には開き易くなっている一方、車体の振動等の小さな負荷による小変位が生じた場合には、基板重ね合わせ部１２を保持し続けることができる。
【００２８】
次に、車両解体時における電線Ｗ１の取り外し作業を説明する。
車両解体時には、電線Ｗ１が他の電線群と共に結束されたワイヤハーネスがクレーン（図示せず）で引き上げられる。
クレーンによる大きな引張力で電線Ｗ１を上方へ引き上げると、図６（Ｂ）に示すように、芯線バレル１２ａ、１２ｂが電線Ｗ１の芯線Ｗ１ａにかしめ圧着されたままの状態で電線Ｗ１が引き上げられ、電線Ｗ１を保持していた絶縁被覆バレル１３ａ、１３ｂと基板重ね合わせ部１２ｃを保持していた押さえ片１３ｃが開き、該引張力で易破断部１４が破断して、離脱用芯線バレル形成部１２と共に電線Ｗ１が離脱される。
即ち、端子１０の固定部１１及び基板部１３は車体に残したままに、離脱用芯線バレル部１２ごと電線Ｗ１を車体から離脱することができる。
【００２９】
この際、易破断部１４は１８０°折りされているため加工硬化し、離脱用芯線バレル形成部１２を曲げ戻すことで易破断部１４は割れ易くなっているので、離脱用芯線バレル形成部１２を容易に離脱することができる。
また、易破断部１４の方向が電線Ｗ１の軸線方向に対して若干斜めにとなっていることで、電線Ｗ１への上記引張力が易破断部１４に伝達し易くなっている。なお、易破断部１４は電線Ｗ１の軸線方向と平行としてもよい。
【００３０】
図７は第２実施形態を示す。
第１実施形態との相違点は、易破断部１４’にミシン目状のスリット１４ａ’を設けていると共に、絶縁被覆バレル１３ａ’、１３ｂ’の長さＬ３を短くしている点である。
【００３１】
このように、易破断部１４’にミシン目状のスリット１４ａ’を設けることで、易破断部１４’がより破断し易くなり、電線の離脱作業をさらに容易にすることができる。
なお、易破断部１４’にはスリット１４ａ’を設ける代わりに、薄肉部を形成する溝を切り欠いても容易に破断する効果が得られ好適である。
【００３２】
また、絶縁被覆バレル１３ａ’、１３ｂ’の長さＬ３を短くして、絶縁被覆バレル１３ａ’、１３ｂ’による電線の保持力を弱めているので、電線が引き上げられた際に、絶縁被覆バレル１３ａ’、１３ｂ’を容易に開くことができる。
【００３３】
次に、図８および図９に第３実施形態を示す。
第２実施形態は２枚の端子１０を重ねて１ヶ所でアース接続する組み合わせ端子の場合である。
端子１０Ａ、１０Ｂに上述のように電線Ｗ１、Ｗ２を夫々圧着し、電線Ｗ１、Ｗ２を平行配線した状態で、夫々の固定部１１を重ねてボルト留め固定する。
【００３４】
上記端子１０Ａ、１０Ｂの固定部１１にはボルト挿通孔１１ａを連通させて重ねた状態で、ボルト挿通孔１１ａの周縁に凹凸嵌合部１１ｂ、１１ｃが設けられており、所定位置に位置決め保持される。この重ねられた状態で、易破断部１４は互いに離反する方向に位置し、下層の端子１０Ｂの離脱用芯線バレル形成部１２および易破断部１４はは上層の端子１０Ａに重ねられないようになる。
【００３５】
よって、クレーンによる引張力で電線Ｗ１、電線Ｗ２が同時に引張力が負荷された時、夫れ夫れの易破断部１４がスムーズに破断されて、電線Ｗ１、Ｗ２とがともに車体にボルトで固定された固定部１１から離脱する。
また、上層の端子１０Ａ側の電線Ｗ１が引っ張れず、下層の端子１０Ｂの電線Ｗ２のみが引っ張れた場合においても、上層の端子１０Ａにより阻害されることなく、下層の端子１０Ｂの易破断部１４が破断する。
【００３６】
図１０は第３実施形態の変形例を示し、上下の端子１０Ａ、１０Ｂに接続した電線Ｗ１、Ｗ２を直角方向としている。
なお、同一部分は同一符号を付して説明を省略する。
【００３７】
この場合も図９と同様に、車体解体時に電線Ｗ１，Ｗ２が引っ張れると、端子１０Ａ、１０Ｂを同時に、あるいは一方側の端子を他方側の端子に阻害されることなく易破断部１４で破断することができる。
【００３８】
図１１は第４実施形態を示す。
第４実施形態の端子２０は、第１実施形態の端子と同様に、導電性金属板を折曲加工して形成している。
中心にボルト挿通孔２１ａを設けた固定部２１の一側部先端２１ｂより１８０度折り曲げた易破断部２３を介して離脱部２４を設け、該離脱部２４を固定部２１の一側部に重ねた状態で固定部２１の基端側に延在させている。
この延在部に電線接続用の基板部２５として、その幅方向の両側より芯線バレル２６と端部側に絶縁被覆バレル２７を設けている。即ち、電線接続用の基板部２５に対して固定部２１を片持ち状に突出した外形としている。
【００３９】
即ち、第４実施形態の端子２０では、電線接続用の基板部２５を離脱部２４に設け、電線Ｗにかしめ圧着する絶縁被覆バレル２７も芯線バレル２６と共に電線Ｗと共に離脱させる点が第１実施形態と相違する。
このように、電線Ｗに負荷される引っ張り力を芯線バレル２６だけでなく、絶縁被覆バレル２７を介して基板部２５、離脱部２４に直接的に負荷でき、１８０度曲げされた易破断部２３に大きな力を作用でき、確実に固定部２１と離脱させることができる。
【００４０】
図１２及び図１３は第５実施形態を示す。
第５実施形態は第４実施形態と同様な端子２０Ａと２０Ｂを上下に２枚組み合わせたものである。
各端子２０Ａ、２０Ｂの基板部２５Ａ、２５Ｂより一方側に突出する固定部２１Ａ、２１Ｂを上下に重ねあわせ、端子２０Ａ、２０Ｂの基板部２５の芯線バレル２６、絶縁被覆バレル２７にかしめ圧着している電線Ｗ１とＷ２とを平行配線している。
端子２０Ａと２０Ｂの固定部２１Ａ、２１Ｂにはボルト挿通孔２１ａの周縁の凹凸部２１ｂ、２１ｃを設け、これらを嵌合することにより連通されるボルト挿通孔２１ａを挟んで両側に端子２０Ａの離脱部２４Ａと端子２０Ｂの離脱部２４Ｂを位置させている。
【００４１】
上記のように端子２０Ａ、２０Ｂとを組み合わせ、固定部２１Ａ、２１Ｂを上下に重ねてボルトで車体に固定した場合においても、前記第２実施形態と同様に、クレーンによる引張力で電線Ｗ１、電線Ｗ２が同時に引張力が負荷された時、夫れ夫れの易破断部２３Ａ、２３Ｂがスムーズに破断されて、電線Ｗ１、Ｗ２とがともに車体にボルトで固定された固定部２１Ａ、２１Ｂから離脱する。
また、上層の端子２０Ａ側の電線Ｗ１が引っ張れず、下層の端子２０Ｂの電線Ｗ２のみが引っ張れた場合においても、上層の端子２０Ａにより阻害されることなく、下層の端子２１Ｂの易破断部２３Ｂが破断する。
【００４２】
なお、上記実施形態では、端子１０、２０を車体パネルＰへのアース接続されるアース端子としているが、ボルト締めで機器等に接続する端子であればいずれにも適用できる。例えば、電源線の端末に接続し、ジャンクションボックス等の電気接続箱内のバスバーにボルト締めする端子等にも好適に用いることができる。
【図面の簡単な説明】
【００４３】
【図１】本発明の第１実施形態に係る端子の展開図である。
【図２】端子の離脱用芯線バレル形成部を折り返した状態の上面図である。
【図３】端子の離脱用芯線バレル形成部を折り返した状態の側面図である。
【図４】（Ａ）は図２のＡ−Ａ線断面図、（Ｂ）は図３のＢ−Ｂ線断面図、（Ｃ）はＣ−Ｃ線断面図である。
【図５】端子の電線圧着後の上面図である。
【図６】（Ａ）は端子の車体固定後の側面図、（Ｂ）は電線の離脱を示す側面図である。
【図７】第２実施形態の端子の展開図である。
【図８】第３実施形態の端子の組み合わせ前の斜視図である。
【図９】端子組み合わせ後の斜視図である。
【図１０】第３実施形態の変形例を示す平面図である。
【図１１】第４実施形態の端子の斜視図である。
【図１２】第５実施形態の端子の組み合わせ前の斜視図である。
【図１３】端子組み合わせ後の斜視図である。
【図１４】（Ａ）は従来の端子の車体固定前の斜視図、（Ｂ）は問題点を示す斜視図である。
【図１５】（Ａ）は別の従来の端子の上面図、（Ｂ）は問題点を示す斜視図である。
【符号の説明】
【００４４】
１０、２０            端子
１１、２１            固定部
１１ａ，２１ａ        ボルト挿通孔
１２                  離脱用芯線バレル形成部
１２ａ、１２ｂ、２６  芯線バレル
１２ｃ                基板重ね合わせ部
１３，２５            基板部
１３ａ、１３ｂ、２７  絶縁被覆バレル
１３ｃ                押さえ片
１４、１４’、２３    易破断部
１４ａ’              スリット
２４                  離脱部
Ｂ                    ボルト
Ｈ                    ボルト穴
Ｐ                    車体パネル
Ｗ１、Ｗ２            電線
Ｗ１ａ                芯線
Ｗ１ｂ                被覆部
【手続補正３】
【補正対象書類名】図面
【補正対象項目名】図１２
【補正方法】変更
【補正の内容】
【図１２】
2006278346.tif 000019
【手続補正４】
【補正対象書類名】図面
【補正対象項目名】図１３
【補正方法】変更
【補正の内容】
【図１３】
2006278346.tif 000020
【手続補正５】
【補正対象書類名】図面
【補正対象項目名】図１４
【補正方法】変更
【補正の内容】
【図１４】
2006278346.tif 000021
【手続補正６】
【補正対象書類名】図面
【補正対象項目名】図１５
【補正方法】変更
【補正の内容】
【図１５】
2006278346.tif 000022
【手続補正７】
【補正対象書類名】図面
【補正対象項目名】図１６
【補正方法】削除
【補正の内容】